(57)【要約】【課題】用紙搬送路からジャムを発生させることなくスムーズに分岐搬送路側に画像形成用紙の搬送方向を変更することができる複合機の用紙搬送方向変更機構を提供する。【解決手段】用紙搬送路361の途中より分岐する第１分岐搬送路322、及び第１分岐搬送路の途中より分岐する第２分岐搬送路323を備え、用紙搬送路の上流側分岐部324及び第１分岐搬送路の下流側分岐部325に、駆動ローラ324a,325aと、この駆動ローラに対する接離方向に移動可能な従動ローラ324b,325bと、この従動ローラを駆動ローラに対して接触または離反させるアクチュエータとを設け、このアクチュエータにより駆動ローラに対して従動ローラを接触させた際にその両ローラのニップ部間に通紙される画像形成用紙の搬送方向を該両ローラのニップ部の形状に応じて第１又は第２分岐搬送路側に変更させるように、上記駆動ローラと従動ローラとの互いの表面硬度を異ならせている。【選択図】図３
2005272108.tif 000002
【特許請求の範囲】
【請求項１】
用紙搬送路の途中より分岐する分岐搬送路を備え、用紙搬送路の上流側から搬送される用紙の搬送方向を分岐部よりも下流側の用紙搬送路側または分岐搬送路側に選択的に変更するようにした画像形成装置の用紙搬送方向変更機構において、
上記用紙搬送路の分岐部の用紙搬送方向直上流側には、駆動ローラと、この駆動ローラに対する接離方向に移動可能な従動ローラと、この従動ローラを駆動ローラに対して接触または離反させる接離手段とが設けられ、
上記駆動ローラと従動ローラとは、上記接離手段により駆動ローラに対して従動ローラを接触させた際にその両ローラのニップ部間に通紙される用紙の搬送方向を該両ローラのニップ部の形状に応じて分岐搬送路側に変更するように、互いの表面硬度が異なっていることを特徴とする画像形成装置の用紙搬送方向変更機構。
【請求項２】
上記請求項１に記載の画像形成装置の用紙搬送方向変更機構において、
駆動ローラおよび従動ローラのうちの表面硬度が硬い一方のローラは、分岐部直上流の用紙搬送路を挟んで分岐搬送路側に設けられていることを特徴とする画像形成装置の用紙搬送方向変更機構。
【請求項３】
上記請求項１または請求項２に記載の画像形成装置の用紙搬送方向変更機構において、
接離手段は、従動ローラは、装置本体に対する画像形成要求時に選択される用紙の搬送方向に応じて駆動ローラに対して接離するようになっていることを特徴とする画像形成装置の用紙搬送方向変更機構。
【請求項４】
上記請求項１ないし請求項３のいずれか１つに記載の画像形成装置の用紙搬送方向変更機構において、
用紙搬送路の分岐部よりも上流側および下流側、並びに分岐搬送路の分岐部よりも下流側には、それぞれニップ部間を通して用紙を搬送する一対の搬送ローラが設けられていることを特徴とする画像形成装置の用紙搬送方向変更機構。
【請求項５】
上記請求項４に記載の画像形成装置の用紙搬送方向変更機構において、
用紙搬送路の分岐部よりも上流側と下流側との一対の搬送ローラ間の距離、並びに用紙搬送路の分岐部よりも上流側と分岐搬送路の分岐部よりも下流側との一対の搬送ローラ間の距離は、その用紙搬送路内または分岐搬送路内に搬送される最小の用紙の用紙搬送方向長さよりも短い長さに設定されていることを特徴とする画像形成装置の用紙搬送方向変更機構。
【発明の詳細な説明】
【技術分野】
【０００１】
本発明は、複写機、プリンタおよびファクシミリなどの電子写真方式の画像形成装置の用紙搬送方向変更機構に関し、詳しくは、用紙搬送路の分岐部での用紙のジャムの発生を効果的に防止する対策に係わる。
【背景技術】
【０００２】
一般に、複写機、プリンタおよびファクシミリなどの電子写真方式の画像形成装置において、画像形成された用紙は一箇所の排出部から排出されている。
【０００３】
ところで、近年、コピア機能、プリンタ機能およびファックス機能を併設した複合機の開発が進み、広く利用されている。このような複合機の場合、各機能からの用紙の排出が混在しないように複数の排出部を有する装置が付設される傾向にある。
【０００４】
また、複合機には、複数部数画像形成用のソータや、画像形成された用紙の後処理を行う後処理装置なども併設される傾向にある。
【０００５】
しかし、複数の排出部を有する装置や、複数部数画像形成用のソータまたは後処理装置などを付設した複合機にあっては、用紙搬送路が非常に複雑となり、その用紙搬送路の途中より分岐する分岐搬送路を付設し、この分岐搬送路によって、用紙搬送路の上流側から搬送される用紙の搬送方向を分岐部よりも下流側の用紙搬送路側または分岐搬送路側に選択的に変更するようにした用紙搬送方向変更機構を設ける必要がある。
【０００６】
そのため、従来より、用紙搬送方向変更機構として、用紙搬送路の分岐部の用紙搬送方向直上流側に、その分岐部よりも下流側の用紙搬送路側または分岐搬送路側を開放するように出没する分岐爪を設け、この分岐爪によって、用紙搬送路の分岐部よりも用紙搬送方向上流側から搬送される用紙の搬送方向を分岐部よりも下流側の用紙搬送路側または分岐搬送路側に変更するようにしたものが知られている（例えば、特許文献１参照）。
【特許文献１】特開平６−１２７７７９号公報
【発明の開示】
【発明が解決しようとする課題】
【０００７】
ところが、上記従来のものでは、用紙搬送路の分岐部から突出する分岐爪に対し用紙の搬送方向先端を当接させることによって用紙の搬送方向を分岐搬送路側に変更するため、用紙の種類によっては、用紙の搬送方向先端が分岐爪にスムーズに案内されて用紙の搬送方向を分岐搬送路側に円滑に変更される場合と、用紙の搬送方向先端が分岐爪に引っ掛かって用紙のジャムが発生する場合とがある。これは、用紙の腰の強さに起因すると考えられ、用紙搬送路内に突出する分岐爪に当接した際に大きな負荷が作用するような腰の強さの用紙、例えば薄紙では、ジャムが発生する可能性が非常に高いものとなる。
【０００８】
本発明は、かかる点に鑑みてなされたものであり、その目的とするところは、用紙搬送路内を搬送される用紙に大きな負荷によるジャムを発生させることなくスムーズに分岐搬送路側に用紙の搬送方向を変更することができる画像形成装置の用紙搬送方向変更機構を提供することにある。
【課題を解決するための手段】
【０００９】
上記目的を達成するため、本発明では、用紙搬送路の途中より分岐する分岐搬送路を備え、用紙搬送路の上流側から搬送される用紙の搬送方向を分岐部よりも下流側の用紙搬送路側または分岐搬送路側に選択的に変更するようにした画像形成装置の用紙搬送方向変更機構を前提とする。そして、上記用紙搬送路の分岐部の用紙搬送方向直上流側に、駆動ローラと、この駆動ローラに対する接離方向に移動可能な従動ローラと、この従動ローラを駆動ローラに対して接触または離反させる接離手段とを設け、上記接離手段により駆動ローラに対して従動ローラを接触させた際にその両ローラのニップ部間に通紙される用紙の搬送方向を該両ローラのニップ部の形状に応じて分岐搬送路側に変更させるように、上記駆動ローラと従動ローラとの互いの表面硬度を異ならせている。
【００１０】
この特定事項により、接離手段による用紙搬送路の分岐部の用紙搬送方向直上流側での駆動ローラに対する従動ローラの接触により、その両ローラのニップ部間に通紙される用紙の搬送方向が、互いの表面硬度が異なる両ローラのニップ部の形状に応じて分岐搬送路側に変更されるので、用紙の搬送方向先端が駆動ローラと従動ローラとのニップ部の形状に応じて湾曲し、用紙の搬送方向が分岐搬送路側向きに簡単に変更されることになる。このため、用紙搬送路内に突出する分岐爪への当接により用紙の搬送方向を変更していたもののように、分岐爪に当接した際の負荷が用紙の先端に作用することはなく、用紙の種類（腰の強さ）に拘わらずジャムの発生を防止しつつスムーズに分岐搬送路側に用紙の搬送方向を変更することが可能となる。
【００１１】
ここで、駆動ローラおよび従動ローラのうちの表面硬度が硬い一方のローラを、分岐部直上流の用紙搬送路を挟んで分岐搬送路側に設けている場合には、駆動ローラと従動ローラとのニップ部間に通紙される用紙の搬送方向をニップ部の形状、つまり表面硬度の硬い一方のローラの外周面の形状に応じて分岐搬送路側にスムーズに変更することが可能となる。
【００１２】
また、従動ローラを、装置本体に対する画像形成要求時に選択される用紙の搬送方向に応じて駆動ローラに対して接離させるようにしている場合には、装置本体に対する画像形成要求時に駆動ローラに対する従動ローラの接離が予め行われているので、用紙搬送路の上流側から搬送される分岐部での用紙の搬送方向の選択が用紙の搬送に支障を与えることなく迅速に行うことが可能となる。
【００１３】
特に、用紙搬送路の分岐部での用紙の搬送を確実に行い得るものとして、以下の構成が掲げられる。
【００１４】
つまり、用紙搬送路の分岐部よりも上流側および下流側、並びに分岐搬送路の分岐部よりも下流側に、それぞれニップ部間を通して用紙を搬送する一対の搬送ローラを設けている。
【００１５】
この特定事項により、分岐部上流側の用紙搬送路から搬送される用紙を分岐部下流側の用紙搬送路または分岐搬送路に向かって円滑に搬送することが可能となる。
【００１６】
更に、用紙搬送路の分岐部よりも上流側と下流側との一対の搬送ローラ間の距離、並びに用紙搬送路の分岐部よりも上流側と分岐搬送路の分岐部よりも下流側との一対の搬送ローラ間の距離を、その用紙搬送路内または分岐搬送路内に搬送される最小の用紙の用紙搬送方向長さよりも短い長さに設定している場合には、分岐部上流側の用紙搬送路から搬送される用紙搬送方向長さの短い最小の用紙を分岐部下流側の用紙搬送路または分岐搬送路に向かって円滑に搬送することが可能となる。
【発明の効果】
【００１７】
以上、要するに、用紙搬送路の分岐部の用紙搬送方向直上流側での駆動ローラに対する従動ローラの接触により、その両ローラのニップ部間に通紙した用紙の搬送方向を、互いの表面硬度の異なる両ローラのニップ部の形状に応じて分岐搬送路側に変更することで、用紙の搬送方向先端を両ローラ間のニップ部の形状に応じて湾曲させて用紙の搬送方向を分岐搬送路側向きに簡単に変更し用紙の種類に拘わらず負荷の作用によるジャムの発生を防止しつつスムーズに分岐搬送路側に用紙の搬送方向を変更することができる。
【発明を実施するための最良の形態】
【００１８】
以下、本発明の実施の形態を図面に基づいて説明する。
【００１９】
本実施形態では、コピー機能、プリント機能、ファクシミリ機能を兼ね備えた複合機に本発明を適用した場合について説明する。
【００２０】
−複合機の全体構成の説明−
図１は本実施形態に係る複合機１（画像形成装置）の外部構成の概略を示し、図２は複合機１の内部構成の概略を示している。図１および図２に示すように、本複合機１は、スキャナ部２、プリント部３及び原稿自動給紙部４を備えている。以下、各部について説明する。
【００２１】
−スキャナ部２の説明−
スキャナ部２は、透明なガラス等で成る原稿台４１上に載置された原稿の画像や原稿自動給紙部４により１枚ずつ給紙される原稿の画像を読み取って画像データを作成する部分である。このスキャナ部２は、露光光源２１、複数の反射鏡２２，２３，２４、結像レンズ２５、光電変換素子（ＣＣＤ：Charge Coupled Device）２６を備えている。
【００２２】
上記露光光源２１は、原稿自動給紙部４の原稿台４１上に載置された原稿や原稿自動給紙部４を搬送される原稿に対して光を照射するものである。各反射鏡２２，２３，２４は、図２に一点鎖線Ａで光路を示すように、原稿からの反射光を一旦図中左方向に反射させた後、下方に反射させ、その後、結像レンズ２５に向かうように図中右方向に反射させるようになっている。
【００２３】
原稿の画像読取動作として、上記原稿台４１上に原稿が載置された場合（「シート固定方式」として使用する場合）には、露光光源２１及び各反射鏡２２，２３，２４が原稿台４１に沿って水平方向に走査して、原稿全体の画像を読み取ることになる。一方、原稿自動給紙部４を搬送される原稿を読み取る場合（「シート移動方式」として使用する場合）には、露光光源２１及び各反射鏡２２，２３，２４が図２に示す位置に固定され、後述する原稿自動給紙部４の原稿読取部４２を原稿が通過する際にその画像を読み取ることになる。
【００２４】
上記各反射鏡２２，２３，２４で反射されて結像レンズ２５を通過した光は光電変換素子２６に導かれ、この光電変換素子２６において反射光が電気信号（原稿画像データ）に変換されるようになっている。
【００２５】
−プリント部３の説明−
プリント部３は、画像処理部としての画像形成系３１と、用紙搬送系３２とを備えている。
【００２６】
画像形成系３１は、レーザスキャニングユニット３１ａ及びドラム型の感光体ドラム３１ｂを備えている。レーザスキャニングユニット３１ａは、上記光電変換素子２６において変換された原稿画像データに基づいたレーザ光を感光体ドラム３１ｂの表面に照射するものである。感光体ドラム３１ｂは、図２中に矢印で示す方向に回転し、レーザスキャニングユニット３１ａからのレーザ光が照射されることによってその表面に静電潜像が形成されるようになっている。
【００２７】
また、感光体ドラム３１ｂの外周囲には、上記レーザスキャニングユニット３１ａの他に、現像装置３１ｃ、転写ローラ３１ｄ、クリーニング装置３１ｅ、図示しない除電器、帯電器３１ｆが周方向に亘って順に配設されている。現像装置３１ｃは、感光体ドラム３１ｂの表面に形成された静電潜像をトナー（顕像化物質）により可視像に現像するものである。転写ローラ３１ｄは、感光体ドラム３１ｂの表面に形成されたトナー像を用紙としての画像形成用紙に転写するものである。クリーニング装置３１ｅは、トナー転写後において感光体ドラム３１ｂの表面に残留したトナーを除去するようになっている。除電器は、感光体ドラム３１ｂの表面の残留電荷を除去するものである。帯電器３１ｆとしては、静電潜像が形成される前の感光体ドラム３１ｂの表面に対し電源（図示せず）からの直流電圧を接触帯電により印加して帯電させる接触帯電方式のものが適用されている。
【００２８】
このため、画像形成用紙に画像を形成する際には、帯電器３１ｆの接触によって感光体ドラム３１ｂの表面が所定の電位に帯電され、レーザスキャニングユニット３１ａが原稿画像データに基づいたレーザ光を感光体ドラム３１ｂの表面に照射する。その後、現像装置３１ｃが感光体ドラム３１ｂの表面にトナーによる可視像を現像し、転写ローラ３１ｄによって、トナー像が画像形成用紙に転写される。更に、その後、感光体ドラム３１ｂの表面に残留したトナーはクリーニング装置３１ｅによって除去されると共に、感光体ドラム３１ｂの表面の残留電荷が除電器によって除去される。これにより、画像形成用紙への画像形成動作（印刷動作）の１サイクルが終了する。このサイクルが繰り返されることにより、複数枚の画像形成用紙に対して連続的に画像形成を行うことができるようになっている。この場合、感光体ドラム３１ｂ上で現像されたトナー像を転写ローラ３１ｄにより画像形成用紙に転写する際に、感光体ドラム３１ｂが画像形成用紙と接触すると、その画像形成用紙との接触部位での感光体ドラム３１ｂの膜厚が僅かではあるが磨耗するようになっている。
【００２９】
一方、用紙搬送系３２は、用紙カセット３３に収容された画像形成用紙を１枚ずつ搬送して上記画像形成系３１による画像形成を行わせると共に、画像形成された画像形成用紙を排出部としての第１または第２排紙トレイ３５１，３５２もしくは後処理装置３２０へ排出するものである。そして、上記用紙カセット３３は、その用紙カセット本体３３０の用紙搬送方向と直交する前後方向（図２では紙面手前奥方向）に延びる用紙ガイド溝（図示せず）にスライド自在に支持されている。また、後処理装置３２０は、複数の排紙トレイ３２０ａ，…を備えている。この後処理装置３２０には、ステープル処理等の後処理が可能なステープル機構３２０ｂが組み込まれていると共に、画像形成用紙を排出する排紙トレイ３２０ａ，…を切り換えるべく、任意の排紙トレイ３２０ａまで画像記録用紙を下方から上昇させるための機構（図示せず）が組み込まれている。
【００３０】
また、上記用紙搬送系３２は、上記用紙カセット３３から給紙された画像形成用紙を第１排紙トレイ３５１まで搬送する用紙搬送路３６１と、この用紙搬送路３６１に対し一端が転写ローラ３１ｄの配設位置よりも上流側（図２中下側）で接続されていると共に他端が転写ローラ３１ｄの配設位置よりも下流側（図２中上側）で接続された反転搬送路３６２と、この反転搬送路３６２の他端との接続部よりも用紙搬送方向下流側に位置する用紙搬送路３６１の途中位置より分岐する第１分岐搬送路３２２（分岐搬送路）と、この第１分岐搬送路３２２の途中位置より分岐する第２分岐搬送路３２３（分岐搬送路）とを備え、非常に複雑な搬送経路を構成している。上記第１分岐搬送路３２２の用紙搬送方向下流端には第２排紙トレイ３５２が、上記第２分岐搬送路３２３の用紙搬送方向下流端には後処理装置３２０がそれぞれ設けられている。そして、上記用紙搬送路３６１には、その用紙搬送路３６１上において連続搬送される複数の画像形成用紙をそれぞれ搬送する搬送ローラ３６１ａ〜３６１ｃが用紙搬送方向から順に設けられているとともに、上記反転搬送路３６２にも、その反転搬送路３６２上において連続搬送される複数の画像形成用紙をそれぞれ搬送する搬送ローラ３６２ａが設けられている。また、上記第１分岐搬送路３２２には、その第１分岐搬送路３２２上において連続搬送される複数の画像形成用紙をそれぞれ搬送する搬送ローラ３２２ａ〜３２２ｃが用紙搬送方向から順に設けられているとともに、上記第２分岐搬送路３２３にも、その第２分岐搬送路３２３上において連続搬送される複数の画像形成用紙をそれぞれ搬送する搬送ローラ３２３ａ〜３２３ｅが用紙搬送方向から順に設けられている。
【００３１】
上記用紙搬送路３６１の上流端（用紙カセット３３の排出側に対向する部分）には断面が半円状のピックアップローラ３６ａが配設されている。このピックアップローラ３６ａの回転により、用紙カセット３３に収容されている画像形成用紙を１枚ずつ間欠的に用紙搬送路３６１に給紙できるようになっている。
【００３２】
この用紙搬送路３６１における転写ローラ３１ｄの配設位置よりも上流側には、レジストローラ３６ｄ，３６ｄが配設されている。このレジストローラ３６ｄ，３６ｄは、感光体ドラム３１ｂ表面のトナー像と画像形成用紙との位置合わせを行いながら画像形成用紙を搬送するものである。用紙搬送路３６１における転写ローラ３１ｄの配設位置よりも下流側には、画像形成用紙に転写されたトナー像を加熱ローラ３９０と加圧ローラ３９１との間のニップ部を通して定着させる定着装置３９が配設されている。
【００３３】
用紙搬送路３６１に対する反転搬送路３６２の上流端の接続位置には分岐爪３６３が配設されている。この分岐爪３６３は、図２に実線で示す第１位置とこの第１位置から図中反時計回り方向に回動して反転搬送路３６２を開放する第２位置との間で水平軸回りに回動自在となっている。この分岐爪３６３が第１位置にあるときには画像形成用紙が用紙搬送路３６１の下流側、もしくは第１または第２分岐搬送路３２２，３２３に向けて搬送され、第２位置にあるときには画像形成用紙が反転搬送路３６２へ供給可能となっている。そして、画像形成用紙が反転搬送路３６２に供給された場合（所謂スイッチバック搬送により画像形成用紙が反転搬送路３６２に供給された場合）には、搬送ローラ３６２ａによって画像形成用紙が搬送され、レジストローラ３６ｄの上流側で画像形成用紙が反転されて再び転写ローラ３１ｄに向かって用紙搬送路３６１を搬送されるようになっている。つまり、画像形成用紙の裏面に対して画像形成が行えるようになっている。
【００３４】
−原稿自動給紙部４の説明−
次に、原稿自動給紙部４について説明する。この原稿自動給紙部４は、所謂自動両面原稿搬送装置として構成されている。この原稿自動給紙部４は、シート移動式として使用可能であって、原稿トレイ４３、中間トレイ４４、原稿排紙トレイ４５及び各トレイ４３，４４，４５間で原稿を搬送する原稿搬送系４６を備えている。
【００３５】
上記原稿搬送系４６は、原稿トレイ４３に載置された原稿を、原稿読取部４２を経て中間トレイ４４または原稿排紙トレイ４５へ搬送するための主搬送路４７と、中間トレイ４４上の原稿を主搬送路４７に供給するための副搬送路４８とを備えている。
【００３６】
主搬送路４７の上流端（原稿トレイ４３の排出側に対向する部分）には原稿ピックアップローラ４７ａ及び捌きローラ４７ｂが配設されている。捌きローラ４７ｂの下側には捌き板４７ｃが配設されており、原稿ピックアップローラ４７ａの回転に伴って原稿トレイ４３上の原稿のうちの１枚がこの捌きローラ４７ｂと捌き板４７ｃとの間を通過して主搬送路４７に給紙されるようになっている。主搬送路４７と副搬送路４８との合流部分（図２中Ｂ部分）よりも下流側にはＰＳローラ４７ｅ，４７ｅが配設されている。このＰＳローラ４７ｅ，４７ｅは、原稿の先端とスキャナ部２の画像読取タイミングとを調整して原稿を原稿読取部４２に供給するものである。つまり、このＰＳローラ４７ｅ，４７ｅは原稿が供給された状態でその原稿の搬送を一旦停止し、上記タイミングを調整して原稿を原稿読取部４２に供給するようになっている。
【００３７】
原稿読取部４２は、プラテンガラス４２ａと原稿押え板４２ｂとを備え、ＰＳローラ４７ｅ，４７ｅから供給された原稿がプラテンガラス４２ａと原稿押え板４２ｂとの間を通過する際に、上記露光光源２１からの光がプラテンガラス４２ａを通過して原稿に照射されるようになっている。この際、上記スキャナ部２による原稿画像データの取得が行われる。上記原稿押え板４２ｂの背面（上面）には図示しないコイルスプリングによる付勢力が付与されている。これにより、原稿押え板４２ｂがプラテンガラス４２ａに対して所定の押圧力をもって接触しており、原稿が原稿読取部４２を通過する際にプラテンガラス４２ａから浮き上がることを阻止している。
【００３８】
プラテンガラス４２ａの下流側には、搬送ローラ４７ｆ及び原稿排紙ローラ４７ｇが備えられている。プラテンガラス４２ａ上を通過した原稿が搬送ローラ４７ｆ及び原稿排紙ローラ４７ｇを経て中間トレイ４４または原稿排紙トレイ４５へ排紙される構成となっている。
【００３９】
原稿排紙ローラ４７ｇと中間トレイ４４との間には中間トレイ揺動板４４ａが配設されている。この中間トレイ揺動板４４ａは、中間トレイ４４側の端部が揺動中心とされて、図２中実線で示すポジション１とこのポジション１から上方へ跳ね上げられたポジション２との間で揺動可能となっている。中間トレイ揺動板４４ａがポジション２にある場合には原稿排紙ローラ４７ｇから排紙された原稿は原稿排紙トレイ４５へ回収される。一方、中間トレイ揺動板４４ａがポジション１にある場合には原稿排紙ローラ４７ｇから排紙された原稿は中間トレイ４４へ排出されるようになっている。この中間トレイ４４への排紙時には、原稿の端縁が原稿排紙ローラ４７ｇ，４７ｇ間に挟持された状態となっており、この状態から原稿排紙ローラ４７ｇが逆回転することによって原稿が副搬送路４８に供給され、この副搬送路４８を経て再び主搬送路４７に送り出されるようになっている。この原稿排紙ローラ４７ｇの逆回転動作は、主搬送路４７への原稿の送り出しと画像読取タイミングとを調整して行われる。これにより、原稿の裏面の画像が原稿読取部４２によって読み取られるようになっている。
【００４０】
−複合機の基本動作説明−
以上の如く構成された複合機１の動作として、先ず、本複合機１が、プリンタとして機能する場合には、パーソナルコンピュータ等のホスト装置から送信された印刷データ（イメージデータやテキストデータ）を受信し、この受信した印刷データ（プリントデータ）を図示しないバッファ（メモリ）に一旦格納していく。このバッファへのプリントデータの格納と共に、バッファからのプリントデータの読み出しを順次行って、この読み出したプリントデータに基づき、上述したプリント部３の画像形成動作により画像形成用紙に画像形成が行われる。
【００４１】
また、本複合機１がスキャナとして機能する場合には、上記スキャナ部２によって読み取った原稿のスキャン画像データをバッファに一旦格納していく。このバッファへのスキャン画像データの格納と共に、バッファからホスト装置へのスキャン画像データの送信を順次行って、このホスト装置のディスプレイ等に画像表示する。
【００４２】
更に、本複合機１がコピー機として機能する場合には、上記スキャナ機能によって読み取った原稿画像データに基づきプリント部３の画像形成動作によって画像形成用紙に画像形成が行われることになる。
【００４３】
そして、本発明の特徴部分として、図３に示すように、上記第１分岐搬送路３２２が分岐する用紙搬送路３６１の上流側分岐部３２４の用紙搬送方向直上流側には、駆動ローラ３２４ａと、この駆動ローラ３２４ａに対し接離方向に移動可能な従動ローラ３２４ｂと、この従動ローラ３２４ｂを駆動ローラ３２４に対して接触または離反させるアクチュエータ４０１とが設けられている。上記駆動ローラ３２４ａは、金属の芯材の外表面にポリカーボネートを被覆して構成されてなるのに対し、上記従動ローラ３２４ｂは、金属の芯金の外表面に発泡性のゴム材を被覆して構成されてなり、互いの表面硬度が異なるように構成されている。そして、表面硬度が硬い駆動ローラ３２４ａは、上流側分岐部３２４直上流の用紙搬送路３６１を挟んで第１分岐搬送路３２２側（図３では上側）に配置されている。
【００４４】
また、上記第２分岐搬送路３２３が分岐する第１分岐搬送路３２２の下流側分岐部３２５の用紙搬送方向直上流側には、駆動ローラ３２５ａと、この駆動ローラ３２５ａに対する接離方向に移動可能な従動ローラ３２５ｂと、この従動ローラ３２５ｂを駆動ローラ３２５ａに対して接触または離反させるアクチュエータ４０２とが設けられている。上記駆動ローラ３２５ａは、金属の芯材の外表面にポリカーボネートを被覆して構成されてなるのに対し、上記従動ローラ３２５ｂは、金属の芯金の外表面に発泡性のゴム材を被覆して構成されてなり、互いの表面硬度が異なるように構成されている。そして、表面硬度が硬い駆動ローラ３２５ａは、下流側分岐部３２５直上流の第１分岐搬送路３２２を挟んで第２分岐搬送路３２３側（図３では左側）に配置されている。
【００４５】
そして、図４に示すように、上流側分岐部３２４の駆動ローラ３２４ａおよび下流側分岐部３２５の駆動ローラ３２５ａは、複合機１の機体フレーム１０に対しそれぞれ軸４１０を介して回転自在に支持され、その軸４１０の一端（図４では右端）に回転一体に連結されたギヤ４１１に噛合する駆動モータ４１２の駆動ギヤ４１２ａにより回転するようになっている。上流側分岐部３２４の従動ローラ３２４ｂおよび下流側分岐部３２５の従動ローラ３２５ｂは、それぞれプレート状の保持部材４２０の一端（図４では上端）に軸４２１を介して回動自在に支持されている。各保持部材４２０の他端（図４では下端）にはロッド状の支持部材４２２の内端がそれぞれ固設され、この各支持部材４２２の略中央部が、複合機１の機体フレーム１０に開口する長孔１０ａ対しそれぞれ挿通されている。この各長孔１０ａは、上流側分岐部３２４の駆動ローラ３２４ａに対し従動ローラ３２４ｂが接離可能な方向（図４では上下方向）に、下流側分岐部３２５の駆動ローラ３２５ａに対し従動ローラ３２５ｂが接離可能な方向（図４では上下方向）に延びて形成されている。上記各支持部材４２２の外端部には、駆動ローラ３２４ａ，３２５ａに対し従動ローラ３２４ｂ，３２５ｂが接離可能な方向（図４では上下方向）に進退移動する接離手段としてのソレノイド４３０が固設されている。上流側分岐部３２４の従動ローラ３２４ｂまたは下流側分岐部３２５の従動ローラ３２５ｂは、ソレノイド４３０の進出時に機体フレーム１０の長孔１０ａ内で支持部材４２２を移動させて上流側分岐部３２４の駆動ローラ３２４ａまたは下流側分岐部３２５の駆動ローラ３２５ａに対し接触する第１位置（図３に実線で示す位置）に、ソレノイド４３０の後退時に機体フレーム１０の長孔１０ａ内で支持部材４２２を移動させて上流側分岐部３２４の駆動ローラ３２４ａまたは下流側分岐部３２５の駆動ローラ３２５ａに対し離反する第２位置（図３に二点鎖線で示す位置）にそれぞれ変換されるように構成されている。そして、上流側分岐部３２４の従動ローラ３２４ｂが第１位置にあるとき（駆動ローラ３２４ａに対し従動ローラ３２４ｂが接触しているとき）には画像形成用紙がその両ローラ３２４ａ，３２４ｂのニップ部間に通紙されて該画像形成用紙の搬送方向が該両ローラ３２４ａ，３２４ｂのニップ部の形状に応じて第１分岐搬送路３２２側に変更される一方、第２位置にあるとき（駆動ローラ３２４ａに対し従動ローラ３２４ｂが離反しているとき）には画像形成用紙の搬送方向が変更されずにそのまま用紙搬送路３６１の下流側へ搬送されるようになっている。この場合、画像形成用紙が第１分岐搬送路３２２の下流側に向かって搬送されると、搬送ローラ３２２ａによって画像形成用紙が下流側分岐部３２５に向かって搬送される一方、画像形成用紙の搬送方向が用紙搬送路３６１側に変更されると、搬送ローラ３６１ｂ，３６１ｃによって画像形成用紙が第１排紙トレイ３５１に排出されるようになっている。
【００４６】
また、下流側分岐部３２５の従動ローラ３２５ｂが第１位置にあるとき（駆動ローラ３２５ａに対し従動ローラ３２５ｂが接触しているとき）には画像形成用紙がその両ローラ３２５ａ，３２５ｂのニップ部間に通紙されて該画像形成用紙の搬送方向が該両ローラ３２５ａ，３２５ｂのニップ部の形状に応じて第２分岐搬送路３２３側に変更される一方、第２位置にあるとき（駆動ローラ３２５ａに対し従動ローラ３２５ｂが離反しているとき）には画像形成用紙の搬送方向が変更されずにそのまま第１分岐搬送路３２２の下流側へ搬送されるようになっている。この場合、画像形成用紙が第１分岐搬送路３２２の下流側に向かって搬送されると、搬送ローラ３２２ｂ，３２２ｃによって画像形成用紙が第２排紙トレイ３５２に排出される一方、画像形成用紙の搬送方向が第２分岐搬送路３２３側に変更されると、搬送ローラ３２３ａ〜３２３ｅによって画像形成用紙が第２分岐搬送路３２３を経て後処理装置３２０の各トレイ３２０ａ，…に排出されるようになっている。
【００４７】
そして、上記用紙搬送路３６１の上流側分岐部３２４よりも用紙搬送方向上流側の搬送ローラ３６１ａと、用紙搬送路３６１の上流側分岐部３２４よりも用紙搬送方向下流側の搬送ローラ３６１ｂとの間の距離Ｌ１、および用紙搬送路３６１の上流側分岐部３２４よりも用紙搬送方向上流側の搬送ローラ３６１ａと、第１分岐搬送路３２２の上流側分岐部３２４よりも用紙搬送方向下流側の搬送ローラ３２２ａとの間の距離Ｌ２は、用紙搬送系３２において搬送される最小の画像形成用紙の用紙搬送方向長さよりも短い長さに設定されている。また、上記第１分岐搬送路３２２の下流側分岐部３２５よりも用紙搬送方向上流側の搬送ローラ３２２ａと、第１分岐搬送路３２２の下流側分岐部３２５よりも用紙搬送方向下流側の搬送ローラ３２２ｂとの間の距離Ｌ３、および第１分岐搬送路３２２の下流側分岐部３２５よりも用紙搬送方向上流側の搬送ローラ３２２ａと、第２分岐搬送路３２３の下流側分岐部３２５よりも用紙搬送方向下流側の搬送ローラ３２３ａとの間の距離Ｌ４も、用紙搬送系３２において搬送される最小の画像形成用紙の用紙搬送方向長さよりも短い長さに設定されている。
【００４８】
更に、上流側分岐部３２４のソレノイド４３０は、複合機１に対し印字要求がなされたときに選択される画像形成用紙の搬送方向、つまり排出位置（第１排紙トレイ３５１、第２排紙トレイ３５２または後処理装置３２の各トレイ３２０ａ）に応じて、駆動ローラ３２４ａに対して従動ローラ３２４ｂを接離させるように進退移動するようになっている。また、下流側分岐部３２５のソレノイド４３０も、複合機１に対し印字要求がなされたときに選択される画像形成用紙の排出位置（第１排紙トレイ３５１、第２排紙トレイ３５２または後処理装置３２の各トレイ３２０ａ）に応じて駆動ローラ３２５ａに対して従動ローラ３２５ｂを接離させるように進退移動するようになっている。この場合、ソレノイド４３０は、通電ＯＮ時に進出位置に移動する一方、通電ＯＦＦ時に後退位置に移動するように構成されている。
【００４９】
ここで、複合機１に対し印字要求がなされた際に選択される画像形成用紙の排出位置に応じた上流側および下流側分岐部３２４，３２５でのソレノイド４３０による画像形成用紙の搬送方向を変更する手順を図５ないし図７のフローチャートに基づいて説明する。
【００５０】
まず、図５のフローチャートのステップＳＴ１において、複合機１に対し画像形成要求が指示されると、ステップＳＴ２で、画像形成条件が入力されたか否かを判定し、画像形成条件が入力されていないＮＯの場合には、ステップＳＴ３で、画像形成条件の入力を促す。そして、画像形成条件が入力されるまで待機した後、ステップＳＴ４において、画像形成処理動作終了後に後処理装置３２０のステープル機構３２０ｂによるステープル処理等の後処理が必要か否かを判定する。このステップＳＴ４の判定が、画像形成処理動作終了後に後処理装置３２０のステープル機構３２０ｂによるステープル処理等の後処理が不要であるＮＯの場合には、ステップＳＴ５において、画像形成用紙の排出場所（第１または第２排紙トレイ３５１，３５２）の選択がなされたか否かを判定し、画像形成用紙の排出場所の選択がなされたＹＥＳの場合には、ステップＳＴ６で、画像形成用紙の排出場所が第１排紙トレイ３５１であるか否かを判定する。このステップＳＴ６の判定が、画像形成用紙の排出場所が第１排紙トレイ３５１であるＹＥＳの場合には、ステップＳＴ７に進む。一方、上記ステップＳＴ５の判定が、画像形成用紙の排出場所の選択がなされていないＮＯの場合には、ステップＳＴ８において、画像形成用紙の排出場所が基準となる第１排紙トレイ３５１であると判断し、ステップＳＴ７に進む。
【００５１】
そして、ステップＳＴ７において、上流側分岐部３２４の従動ローラ３２４ａを駆動ローラ３２４ａに対し離反させるように上流側分岐部３２４のソレノイド４３０への通電をＯＦＦにして第２位置に位置付けておき、上流側分岐部３２４よりも上流側の用紙搬送路３６１から搬送されてくる画像形成用紙を上流側分岐部３２４の駆動ローラ３２４ａと従動ローラ３２４ｂとの間のニップ部に通紙させないようにしておく。これにより、用紙搬送路３６１の搬送ローラ３６１ａにより搬送されてきた画像形成用紙は、上流側分岐部３２４にて用紙搬送方向が変更されることなくそのまま用紙搬送路３６１の搬送ローラ３６１ｂ，３６１ｃにより用紙搬送路３６１の下流側に搬送されて第１排紙トレイ３５１に排出されるようになっている。
【００５２】
その後、ステップＳＴ９において、ピックアップローラ３６ａにより用紙カセット３３内の画像形成用紙を１枚ずつ間欠的に用紙搬送路３６１に給紙し、レジストローラ３６ｄにより感光体ドラム３１ｂ表面のトナー像と画像形成用紙との位置合わせを行いながら画像形成用紙を画像形成系３に搬送して画像形成処理動作を行う。それから、ステップＳＴ１０において、次の画像形成用紙に対する画像形成要求が連続して行われているか否かを判定し、次の画像形成用紙に対する画像形成要求が連続して行われているＹＥＳの場合には、その連続する画像形成用紙に対する画像形成要求の１ジョブを終えるまで待機した後、ステップＳＴ１１で、新たに画像形成用紙に対する画像形成要求のジョブがあるか否かを判定し、新たに画像形成用紙に対する画像形成要求のジョブがあるＹＥＳの場合には、上記ステップＳＴ２に戻る一方、新たに画像形成用紙に対する画像形成要求のジョブがないＮＯの場合には待機状態に移行する。
【００５３】
一方、上記ステップＳＴ６の判定が、画像形成用紙の排出場所が第２排紙トレイ３５２であるＮＯの場合には、図６のフローチャートのステップＳＴ２１において、上流側分岐部３２４の従動ローラ３２４ａを駆動ローラ３２４ａに対し接触させるように上流側分岐部３２４のソレノイド４３０への通電をＯＮにして第１位置に変更しておき、上流側分岐部３２４よりも上流側の用紙搬送路３６１から搬送されてくる画像形成用紙を上流側分岐部３２４の駆動ローラ３２４ａと従動ローラ３２４ｂとの間のニップ部に通紙させるようにしておく。これにより、用紙搬送路３６１の搬送ローラ３６１ａにより搬送されてきた画像形成用紙は、上流側分岐部３２４の駆動ローラ３２４ａと従動ローラ３２４ｂとの間のニップ部に通紙されて該画像形成用紙の搬送方向が該両ローラ３２４ａ，３２４ｂのニップ部の形状に応じて第１分岐搬送路３２２側に変更され、この第１分岐搬送路３２２を経て下流側分岐部３２５へ向かって搬送されるようになっている。
【００５４】
その後、ステップＳＴ２２において、下流側分岐部３２５の従動ローラ３２５ａを駆動ローラ３２５ａに対し離反させるように下流側分岐部３２５のソレノイド４３０への通電をＯＦＦにして第２位置に位置付けておき、下流側分岐部３２５よりも上流側の第１分岐搬送路３２２から搬送されてくる画像形成用紙を下流側分岐部３２５の駆動ローラ３２５ａと従動ローラ３２５ｂとの間のニップ部に通紙させないようにしておく。これにより、第１分岐搬送路３２２の搬送ローラ３２２ａにより搬送されてきた画像形成用紙は、下流側分岐部３２５にて用紙搬送方向が変更されることなくそのまま第１分岐搬送路３２２の搬送ローラ３２２ｂ，３２２ｃにより第１分岐搬送路３２２の下流側に搬送されて第２排紙トレイ３５２に排出されるようになっている。
【００５５】
それから、ステップＳＴ２３において、ピックアップローラ３６ａにより用紙カセット３３内の画像形成用紙を１枚ずつ間欠的に用紙搬送路３６１に給紙し、レジストローラ３６ｄにより感光体ドラム３１ｂ表面のトナー像と画像形成用紙との位置合わせを行いながら画像形成用紙を画像形成系３に搬送して画像形成処理動作を行う。それから、ステップＳＴ２４において、次の画像形成用紙に対する画像形成要求が連続して行われているか否かを判定し、次の画像形成用紙に対する画像形成要求が連続して行われているＹＥＳの場合には、その連続する画像形成用紙に対する画像形成要求の１ジョブを終えるまで待機した後、ステップＳＴ２５で、新たに画像形成用紙に対する画像形成要求のジョブがあるか否かを判定し、新たに画像形成用紙に対する画像形成要求のジョブがあるＹＥＳの場合には、上記ステップＳＴ２に戻る一方、新たに画像形成用紙に対する画像形成要求のジョブがないＮＯの場合には待機状態に移行する。
【００５６】
一方、上記ステップＳＴ４の判定が、画像形成処理動作終了後に後処理装置３２０のステープル機構３２０ｂによるステープル処理等の後処理が必要であるＹＥＳの場合には、図７のフローチャートのステップＳＴ３１において、上流側分岐部３２４の従動ローラ３２４ａを駆動ローラ３２４ａに対し接触させるように上流側分岐部３２４のソレノイド４３０への通電をＯＮにして第１位置に変更しておき、上流側分岐部３２４よりも上流側の用紙搬送路３６１から搬送されてくる画像形成用紙を上流側分岐部３２４の駆動ローラ３２４ａと従動ローラ３２４ｂとの間のニップ部に通紙させるようにしておく。これにより、用紙搬送路３６１の搬送ローラ３６１ａにより搬送されてきた画像形成用紙は、上流側分岐部３２４の駆動ローラ３２４ａと従動ローラ３２４ｂとの間のニップ部に通紙されて該画像形成用紙の搬送方向が該両ローラ３２４ａ，３２４ｂのニップ部の形状に応じて第１分岐搬送路３２２側に変更され、この第１分岐搬送路３２２を経て下流側分岐部３２５へ向かって搬送されるようになっている。
【００５７】
その後、ステップＳＴ３２において、下流側分岐部３２５の従動ローラ３２５ａを駆動ローラ３２５ａに対し接触させるように下流側分岐部３２５のソレノイド４３０への通電をＯＮにして第１位置に変更しておき、下流側分岐部３２５よりも上流側の第１分岐搬送路３２２から搬送されてくる画像形成用紙を下流側分岐部３２５の駆動ローラ３２５ａと従動ローラ３２５ｂとの間のニップ部に通紙させるようにしておく。これにより、第１分岐搬送路３２２の搬送ローラ３２２ａにより搬送されてきた画像形成用紙は、下流側分岐部３２５の駆動ローラ３２５ａと従動ローラ３２５ｂとの間のニップ部に通紙されて該画像形成用紙の搬送方向が該両ローラ３２５ａ，３２５ｂのニップ部の形状に応じて第２分岐搬送路３２３側に変更され、この第２分岐搬送路３２３の搬送ローラ３２３ａ〜３２３ｅにより第２分岐搬送路３２３を経て後処理装置３２０まで搬送されるようになっている。
【００５８】
それから、ステップＳＴ３３において、ピックアップローラ３６ａにより用紙カセット３３内の画像形成用紙を１枚ずつ間欠的に用紙搬送路３６１に給紙し、レジストローラ３６ｄにより感光体ドラム３１ｂ表面のトナー像と画像形成用紙との位置合わせを行いながら画像形成用紙を画像形成系３に搬送して画像形成処理動作を行う。それから、ステップＳＴ３４において、次の画像形成用紙に対する画像形成要求が連続して行われているか否かを判定し、次の画像形成用紙に対する画像形成要求が連続して行われているＹＥＳの場合には、その連続する画像形成用紙に対する画像形成要求の１ジョブを終えるまで待機した後、ステップＳＴ３５で、新たに画像形成用紙に対する画像形成要求のジョブがあるか否かを判定し、新たに画像形成用紙に対する画像形成要求のジョブがあるＹＥＳの場合には、上記ステップＳＴ２に戻る一方、新たに画像形成用紙に対する画像形成要求のジョブがないＮＯの場合には待機状態に移行する。
【００５９】
このように、本実施形態では、上流側分岐部３２４のソレノイド４３０による用紙搬送路３６１の上流側分岐部３２４の用紙搬送方向直上流側での駆動ローラ３２４ａに対する従動ローラ３２４ｂの接触により、その両ローラ３２４ａ，３２４ｂのニップ部間に通紙される画像形成用紙の搬送方向が、互いの表面硬度が異なる両ローラ３２４ａ，３２４ｂのニップ部の形状に応じて第１分岐搬送路３２２側に変更されるとともに、下流側分岐部３２５のソレノイド４３０による第１分岐搬送路３２２の下流側分岐部３２５の用紙搬送方向直上流側での駆動ローラ３２５ａに対する従動ローラ３２５ｂの接触により、その両ローラ３２５ａ，３２５ｂのニップ部間に通紙される画像形成用紙の搬送方向が、互いの表面硬度が異なる両ローラ３２５ａ，３２５ｂのニップ部の形状に応じて第２分岐搬送路３２３側に変更されるので、画像形成用紙の搬送方向先端が駆動ローラ３２４ａ，３２４ｂと従動ローラ３２４ｂ，３２５ｂとのニップ部の形状に応じて湾曲し、画像形成用紙の搬送方向が第１分岐搬送路３２２側向きおよび第２分岐搬送路３２３側向きに簡単に変更されることになる。このため、用紙搬送路内に突出する分岐爪への当接により画像形成用紙の搬送方向を変更していたもののように、分岐爪に当接した際の負荷が画像形成用紙の先端に作用することはなく、画像形成用紙の種類（腰の強さ）に拘わらずジャムの発生を防止しつつスムーズに第１分岐搬送路３２２側および第２分岐搬送路３２３側に画像形成用紙の搬送方向を変更することができる。
【００６０】
また、上流側分岐部３２４および下流側分岐部３２５のソレノイド４３０は、複合機１に対し印字要求がなされたときに選択される画像形成用紙の排出位置（第１排紙トレイ３５１、第２排紙トレイ３５２または後処理装置３２の各トレイ３２０ａ）に応じて、駆動ローラ３２４ａ，３２５ａに対して従動ローラ３２４ｂ，３２５ｂを接離させるように進退移動するようになっているので、用紙搬送路３６１の上流側から搬送される上流側分岐部３２４および下流側分岐部３２５での画像形成用紙の搬送方向の選択が画像形成用紙の搬送に支障を与えることなく迅速に行うことができる。
【００６１】
更に、用紙搬送路３６１の上流側分岐部３２４よりも用紙搬送方向上流側の搬送ローラ３６１ａと用紙搬送路３６１の上流側分岐部３２４よりも用紙搬送方向下流側の搬送ローラ３６１ｂとの間の距離Ｌ１、および用紙搬送路３６１の上流側分岐部３２４よりも用紙搬送方向上流側の搬送ローラ３６１ａと第１分岐搬送路３２２の上流側分岐部３２４よりも用紙搬送方向下流側の搬送ローラ３２２ａとの間の距離Ｌ２、並びに第１分岐搬送路３２２の下流側分岐部３２５よりも用紙搬送方向上流側の搬送ローラ３２２ａと第１分岐搬送路３２２の下流側分岐部３２５よりも用紙搬送方向下流側の搬送ローラ３２２ｂとの間の距離Ｌ３、および第１分岐搬送路３２２の下流側分岐部３２５よりも用紙搬送方向上流側の搬送ローラ３２２ａと第２分岐搬送路３２３の下流側分岐部３２５よりも用紙搬送方向下流側の搬送ローラ３２３ａとの間の距離Ｌ４は、用紙搬送系３２において搬送される最小の画像形成用紙の用紙搬送方向長さよりも短い長さに設定されているので、上流側分岐部３２４上流側の用紙搬送路３６１から搬送される用紙搬送方向長さの短い最小の画像形成用紙を上流側分岐部３２４下流側の用紙搬送路３６１または第１分岐搬送路３２２に向かって円滑に搬送することができる上、下流側分岐部３２５上流側の第１分岐搬送路３２２から搬送される用紙搬送方向長さの短い最小の画像形成用紙を下流側分岐部３２５下流側の第１分岐搬送路３２２または第２分岐搬送路３２３に向かって円滑に搬送することができる。
【００６２】
なお、本発明は、上記実施形態に限定されるものではなく、その他種々の変形例を包含している。たとえば、上記実施形態では、上流側分岐部３２４の駆動ローラ３２４ａに対する従動ローラ３２４ｂの接離、および下流側分岐部３２５の駆動ローラ３２５ａに対する従動ローラ３２５ｂの接離をソレノイド４３０の進退移動により行ったが、駆動ローラに対して従動ローラを接触させる第１位置および従動ローラを離反させる第２位置への位置決めが正確に行える接離手段であれば、ソレノイドに限定しなくてもよく、伸縮シリンダなどあらゆる接離手段を適用してもよいのはもちろんである。
【図面の簡単な説明】
【００６３】
【図１】本発明の実施形態に係わる複合機の外部構成の概略を後処理装置の未装着状態で示す斜視図である。
【図２】複合機の内部構成の概略を示す模式図である。
【図３】上流側分岐部および下流側分岐部付近の用紙搬送系の構成を示す模式図である。
【図４】上流側分岐部および下流側分岐部の駆動ローラ、従動ローラおよびソレノイドの構成を従動ローラの接離方向と直交する方向から見た正面図である。
【図５】複合機に対し印字要求がなされた際に選択された第１排紙トレイに応じた上流側および下流側分岐部でのソレノイドによる画像形成用紙の搬送方向を変更する手順を示すフローチャート図である。
【図６】複合機に対し印字要求がなされた際に選択された第２排紙トレイに応じた上流側および下流側分岐部でのソレノイドによる画像形成用紙の搬送方向を変更する手順を示すフローチャート図である。
【図７】複合機に対し印字要求がなされた際に選択された後処理装置に応じた上流側および下流側分岐部でのソレノイドによる画像形成用紙の搬送方向を変更する手順を示すフローチャート図である。
【符号の説明】
【００６４】
１          複合機（画像形成装置）
３６１      用紙搬送路
３６１ａ    用紙搬送路の上流側分岐部よりも用紙搬送方向上流側の搬送ローラ
３６１ｂ    用紙搬送路の上流側分岐部よりも用紙搬送方向下流側の搬送ローラ
３２２      第１分岐搬送路（分岐搬送路）
３２２ａ    第１分岐搬送路の上流側分岐部よりも用紙搬送方向下流側の搬送ローラ
第１分岐搬送路の下流側分岐部よりも用紙搬送方向上流側の搬送ローラ
３２２ｂ    第１分岐搬送路の下流側分岐部よりも用紙搬送方向下流側の搬送ローラ
３２３      第２分岐搬送路（分岐搬送路）
３２３ａ    第２分岐搬送路の下流側分岐部よりも用紙搬送方向下流側の搬送ローラ
３２４      上流側分岐部（分岐部）
３２４ａ    駆動ローラ
３２４ｂ    従動ローラ
３２５      下流側分岐部（分岐部）
３２５ａ    駆動ローラ
３２５ｂ    従動ローラ
４３０      ソレノイド（接離手段）
Ｌ１        用紙搬送路の上流側分岐部よりも用紙搬送方向上流側の搬送ローラと用紙搬送路の上流側分岐部よりも用紙搬送方向下流側の搬送ローラとの間の距離
Ｌ２        用紙搬送路の上流側分岐部よりも用紙搬送方向上流側の搬送ローラと、第１分岐搬送路の上流側分岐部よりも用紙搬送方向下流側の搬送ローラとの間の距離
Ｌ３        第１分岐搬送路の下流側分岐部よりも用紙搬送方向上流側の搬送ローラと第１分岐搬送路の下流側分岐部よりも用紙搬送方向下流側の搬送ローラとの間の距離
Ｌ４        第１分岐搬送路の下流側分岐部よりも用紙搬送方向上流側の搬送ローラと第２分岐搬送路の下流側分岐部よりも用紙搬送方向下流側の搬送ローラとの間の距離
【図１】
2005272108.tif 000003
【図２】
2005272108.tif 000004
【図３】
2005272108.tif 000005
【図４】
2005272108.tif 000006
【図５】
2005272108.tif 000007
【図６】
2005272108.tif 000008
【図７】
2005272108.tif 000009